(57)【要約】【課題】乗物用テーブルが外部からの力によって不用意に展開格納されないようにする。【解決手段】テーブル本体１０をベース３０に対して展開格納可能に連結する展開格納機構２０は、テーブル本体１０をベース３０に対して展開格納させる一対のリンク機構部２２と、一対のリンク機構部２２を操作する操作部２３と、一対のリンク機構部２２が操作部２３の操作によらずに操作されることを防止するキャンセル機構部２４と、を有する。キャンセル機構部２４は、操作部２３が前側のリンク機構部２２とは展開格納の双方向に動力伝達可能に連結されているが後側のリンク機構部２２とは格納方向にのみ動力伝達可能でその逆方向の動力伝達を逃がす連結とされていることにより、後側のリンク機構部２２が操作部２３の操作によらずに格納方向に操作される動きを逃がすようになっている。【選択図】図９
2015085772.tif 000002
【特許請求の範囲】
【請求項１】
乗物用テーブルであって、
物載せとなるテーブル本体と、
該テーブル本体をベースに対して展開格納可能に連結する展開格納機構と、を有し、
前記展開格納機構は、
リンク運動により前記テーブル本体を前記ベースに対して展開格納させるリンク機構部と、
該リンク機構部に連結されて該リンク機構部を操作する操作部と、
前記リンク機構部が前記操作部の操作によらずに操作されることを防止するキャンセル機構部と、を有し、
前記リンク機構部は、一対で前記テーブル本体を前記ベースに対して展開格納させる構成となっており、
前記キャンセル機構部は、前記操作部が一対の前記リンク機構部のうちの一方とは展開格納の双方向に動力伝達可能に連結されているが他方とは一方向にのみ動力伝達可能で他方向の動力伝達を逃がす連結とされていることにより、前記他方が前記操作部の操作によらずに他方向に操作されてもその操作力が前記操作部に伝達されない構成となっていることを特徴とする乗物用テーブル。
【請求項２】
請求項１に記載の乗物用テーブルであって、
前記展開格納機構は、前記テーブル本体を前記ベースに対して水平姿勢の展開状態と垂下姿勢の格納状態との間で回転により展開格納させる構成とされ、
前記リンク機構部は、前記テーブル本体と前記ベースとの間で屈伸運動により前記テーブル本体を前記展開状態に保つように突っ張ったり前記テーブル本体を格納方向に導くように屈曲したりする構成とされ、
前記キャンセル機構部は、一対の前記リンク機構部のうちの他方を突っ張った状態から屈曲させる方向には前記操作部からの動力を伝達し、その逆方向には動力伝達を逃がす構成となっていることを特徴とする乗物用テーブル。
【請求項３】
請求項１又は請求項２に記載の乗物用テーブルであって、
前記キャンセル機構部は、前記操作部と一対の前記リンク機構部のうちの他方との間に設けられた、一方向の動きに対しては互いに当接して動力伝達が可能な状態となり、他方向の動きに対しては互いに離間して動力伝達をしない状態となる、当接構造によって構成されていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、車両用シートの側部に、折り畳んで格納することができるテーブルが付設された構成が知られている。上記テーブルは、そのシートと隣接する側の縁部が回転可能に軸支持された構成となっており、水平姿勢に展開された状態と、下方側に折り畳まれて格納された状態と、に切り替えられるようになっている。詳しくは、上記テーブルは、その底部と折り畳み先のベースとの間に、屈伸運動によりテーブルを水平姿勢に保つように突っ張ったりテーブルと共に折り畳まれたりする屈伸リンクが連結されている。上記屈伸リンクは、テーブルとベースとの間に前後一対で設けられており、それぞれ、テーブルとの連結軸が互いに共通の１本の連結棒によって構成されている。上記連結棒は、各屈伸リンクと一体的に結合されており、その先端側の操作部を回転方向に捻る操作によって互いに一体的となって屈伸運動して、テーブルを起こし上げたり折り畳んだりするようになっている。
【先行技術文献】
【特許文献】
【０００３】
【特許文献１】特開２００９−２１４７９８号公報
【発明の概要】
【発明が解決しようとする課題】
【０００４】
しかし、上記従来技術では、後側の屈伸リンクが後席乗員の足と当たって屈曲することがあり、これにより前側の屈伸リンクも一斉に屈曲してしまい、テーブルが不用意に折り畳まれてしまうおそれがある。本発明は、上記問題を解決するものとして創案されたものであって、本発明が解決しようとする課題は、乗物用テーブルが外部からの力によって不用意に展開格納されないようにすることにある。
【課題を解決するための手段】
【０００５】
上記課題を解決するために、本発明の乗物用テーブルは次の手段をとる。
第１の発明は、乗物用テーブルであって、物載せとなるテーブル本体と、テーブル本体をベースに対して展開格納可能に連結する展開格納機構と、を有する。展開格納機構は、リンク運動によりテーブル本体をベースに対して展開格納させるリンク機構部と、リンク機構部に連結されてリンク機構部を操作する操作部と、リンク機構部が操作部の操作によらずに操作されることを防止するキャンセル機構部と、を有する。リンク機構部は、一対でテーブル本体をベースに対して展開格納させる構成となっている。キャンセル機構部は、操作部が一対のリンク機構部のうちの一方とは展開格納の双方向に動力伝達可能に連結されているが他方とは一方向にのみ動力伝達可能で他方向の動力伝達を逃がす連結とされていることにより、他方が操作部の操作によらずに他方向に操作されてもその操作力が操作部に伝達されない構成となっている。
【０００６】
この第１の発明によれば、一対のリンク機構部のうちの他方が操作部の操作によらずに他方向に操作されても、その操作力は操作部には伝達されない。したがって、上記のような力が外部からかけられても、一対のリンク機構部のうちの一方の姿勢を保つことができるため、テーブルが外部からの力によって不用意に展開格納されないようにすることができる。
【０００７】
第２の発明は、上述した第１の発明において、次の構成とされているものである。展開格納機構は、テーブル本体をベースに対して水平姿勢の展開状態と垂下姿勢の格納状態との間で回転により展開格納させる構成とされている。リンク機構部は、テーブル本体とベースとの間で屈伸運動によりテーブル本体を展開状態に保つように突っ張ったりテーブル本体を格納方向に導くように屈曲したりする構成とされている。キャンセル機構部は、一対のリンク機構部のうちの他方を突っ張った状態から屈曲させる方向には操作部からの動力を伝達し、その逆方向には動力伝達を逃がす構成となっている。
【０００８】
この第２の発明によれば、テーブル本体を一対のリンク機構部の突っ張りによって展開状態に保つ構成において、他方のリンク機構部に乗員の足が当たるなどして屈曲方向に外力がかけられても、一方のリンク機構部は突っ張った姿勢状態に保たれる。したがって、上記のような展開格納タイプの乗物用テーブルを、乗員の足が当たるような低い位置に設定しても、乗物用テーブルが不用意に格納操作されないようにすることができる。
【０００９】
第３の発明は、上述した第１又は第２の発明において、次の構成とされているものである。キャンセル機構部は、操作部と一対のリンク機構部のうちの他方との間に設けられた、一方向の動きに対しては互いに当接して動力伝達が可能な状態となり、他方向の動きに対しては互いに離間して動力伝達をしない状態となる、当接構造によって構成されている。
【００１０】
この第３の発明によれば、キャンセル機構部を上記のような単純な当接構造によって簡素に形成することができる。
【図面の簡単な説明】
【００１１】
【図１】実施例１のテーブルが付設されたシートの斜視図である。
【図２】テーブルが折り畳まれた状態を示す斜視図である。
【図３】テーブルが展開状態でシートバックが大倒しされた状態を示す斜視図である。
【図４】テーブルが格納状態でシートバックが大倒しされた状態を示す斜視図である。
【図５】テーブルの分解斜視図である。
【図６】図５のIV部拡大図である。
【図７】テーブルの展開状態を後側から見た背面図である。
【図８】テーブルの格納状態を後側から見た背面図である。
【図９】後側の屈伸リンクが外力を受けて屈曲された状態を表した背面図である。
【図１０】テーブルの平面図である。
【図１１】テーブルの底面図である。
【発明を実施するための形態】
【００１２】
以下に、本発明を実施するための形態について、図面を用いて説明する。
【実施例１】
【００１３】
始めに、実施例１のテーブルＴａの構成について、図１〜図１１を用いて説明する。本実施例のテーブルＴａは、図１に示すように、自動車の右側座席を構成するシート１の車両内側の側部に付設されている。ここで、上述したシート１は、着座乗員の背凭れとなるシートバック２と、着座部となるシートクッション３と、を有する構成となっている。シートバック２は、その左右両サイドの下端部が、それぞれ、リクライナ４を介してシートクッション３の左右両サイドの後端部に連結されて支持されている。これにより、シートバック２は、その背凭れ角度を前後方向に自由に調整したり、シートクッション３の上面部に畳み込まれる位置まで前倒ししたりすることができるようになっている（図３〜図４参照）。
【００１４】
また、図１〜図２に示すように、シートバック２の車両内側の側部には、着座乗員が肘置きとして使用することのできるアームレスト２Ａが付設されている。上記アームレスト２Ａは、その根本側の端部が、連結軸２Ｂによって、シートバック２の車両内側の側部に起倒回転可能にピン連結された状態とされている。これにより、アームレスト２Ａは、シートバック２の側部形状に沿って上方側に起こし上げられた状態と、シートバック２の側部から前方側に倒し込まれて肘置きとして使用することが可能な状態と、に切換えることができるようになっている。
【００１５】
また、上述したテーブルＴａは、平板状のテーブル本体１０と、同テーブル本体１０を水平姿勢に展開させた状態（図１参照）と垂下姿勢に格納した状態（図２参照）とに切換え可能な展開格納機構２０と、を有する構成となっている。具体的には、上記テーブル本体１０は、シート前後方向に長尺な平板形状に形成されている。詳しくは、上記テーブル本体１０は、ポリプロピレン樹脂（ＰＰ）のブロー成形により中身が中空の軽量化された平板形状に形成されている。上記テーブル本体１０には、その前側半分の領域に、飲料容器を上方側から差し込んでセットすることのできる２個のカップホルダ１１が設けられており、後側半分の領域に、矩形状に凹んだ小物入れ１２が形成されている。
【００１６】
また、上記テーブル本体１０のシート１と隣接する内側の側部には、前述したシート１のシートバック２が前倒しされた際（図３〜図４参照）に、同シートバック２の側部に付設されたアームレスト２Ａとの干渉を回避するための凹部１３が形成されている。上記凹部１３は、テーブル本体１０が水平姿勢に展開された状態（図３参照）においても、垂下姿勢に格納された状態（図４参照）においても、それぞれアームレスト２Ａとの干渉を回避することができるように、板厚方向に貫通した肉抜きされた形状となって形成されている。
【００１７】
上述したテーブル本体１０に設けられた２個のカップホルダ１１は、図１０〜図１１に示すように、それぞれ、テーブル本体１０に空けられた丸孔１１Ａと、テーブル本体１０の底部に回転可能にヒンジ連結された支え具１１Ｂと、同支え具１１Ｂをテーブル本体１０の底部に向けて畳み込む方向に付勢するバネ（図示省略）と、から成る構成となっている。各カップホルダ１１は、常時は、各支え具１１Ｂがそれぞれ付勢によってテーブル本体１０の底部に畳み込まれて保持された状態となっている。各カップホルダ１１は、テーブル本体１０の各丸孔１１Ａ内にそれぞれ飲料容器が上方側から差し込まれることにより、各支え具１１Ｂが下方側に一定角度まで押し回されて、各飲料容器を下方側から支えた状態となる。
【００１８】
次に、上述したテーブル本体１０を展開格納させる展開格納機構２０について説明する。図５に示すように、展開格納機構２０は、テーブル本体１０を上述したシート１のシートクッション３の側部に固定されたベース３０に対して起倒回転可能にピン連結する前後一対の連結軸２１と、テーブル本体１０とベース３０との間に連結されてテーブル本体１０を展開格納させる前後一対のリンク機構部２２と、各リンク機構部２２に連結されてこれらを展開格納操作する操作部２３と、各リンク機構部２２が操作部２３の操作によらずに格納操作されることを防止するキャンセル機構部２４と、から構成されている。
【００１９】
上述したベース３０は、シートクッション３の車両内側の側部骨格に固定された前後一対の縦長状の鋼板材により構成されている。上記ベース３０を構成する前後一対の縦長状の各鋼板材は、それぞれ、それらの前後側の各縁部が、シート外側に折り曲げられて、曲げや捩りに対する構造強度が高められた構成とされている。上記ベース３０は、その前後一対の各鋼板材の間に跨るようにこれらの間にシート内側から樹脂製面状のインナシールド５Ａが装着されると共に、シート外側からも樹脂製面状のアウタシールド５Ｂが装着された状態とされている。これにより、ベース３０は、その前後一対の各鋼板材間の隙間が外部に露呈しないように内側や外側から広く覆われた状態とされている。
【００２０】
また、前後一対の各連結軸２１は、それぞれ、シート前後方向に軸方向が向けられており、上述したテーブル本体１０の前内側の底部と後内側の底部とにそれぞれ結合される各ブラケット２１Ａを、それぞれ、上述したベース３０の各鋼板材の上端部に軸回転可能にピン連結している。上述した各ブラケット２１Ａは、テーブル本体１０の前内側の底部と後内側の底部とにそれぞれボルト締結によって一体的に固定されている。上記連結により、テーブル本体１０がベース３０に対して各連結軸２１を中心に水平方向に展開された状態（図３参照）と、垂下姿勢に格納された状態（図４参照）と、の間で起倒回転することができるようになっている。
【００２１】
また、図５に示すように、前後一対の各リンク機構部２２は、それぞれ、上述したテーブル本体１０とベース３０との間に互いに屈伸運動するようにリンク連結された第１リンク２２Ａと第２リンク２２Ｂとを備える。各第１リンク２２Ａは、それぞれ、これらの一端部（図示上端部）に前後方向に貫通して挿通された前後方向に長尺な１本の連結軸２３Ａによって、上述したテーブル本体１０の前外側の底部と後外側の底部とに結合される各ブラケット２２Ｆと軸回転可能にピン連結された状態とされている。各ブラケット２２Ｆは、テーブル本体１０の前外側の底部と後外側の底部とにそれぞれボルト締結によって一体的に固定されている。上記連結により、各第１リンク２２Ａが、テーブル本体１０の底部に対して、上述した連結軸２３Ａを中心に回転することができるように連結された状態とされている。
【００２２】
詳しくは、上述した各第１リンク２２Ａと各ブラケット２２Ｆとは、それぞれ、一枚の縦長状の鋼板材が横断面Ｕ字状或いは逆Ｕ字状の形に折り曲げられて、それらの折り曲げられたＵ字の各立壁部と逆Ｕ字の各立壁部とが互いに前後方向に重ね合わされて、これらに貫通するように連結軸２３Ａが挿通されることにより、互いに相対回転可能に組み付けられた状態とされている。上記長尺状の連結軸２３Ａは、前側の第１リンク２２Ａに対しては、その挿通された各箇所が第１リンク２２Ａに溶接により強固に一体的に結合された状態とされており、前側のブラケット２２Ｆに対しては、単に挿通されて回転可能にピン連結された状態とされている。一方、上記連結軸２３Ａは、後側の第１リンク２２Ａやブラケット２２Ｆに対しては、これらに単に挿通されて回転可能にピン連結された状態とされている。
【００２３】
図６に示すように、上記連結軸２３Ａには、その後側の第１リンク２２ＡのＵ字の各立壁部の間に挿通された箇所に、回転半径方向に延びる動力伝達片２３Ｃが一体的に結合されている。上記動力伝達片２３Ｃは、図７に示すように、連結軸２３Ａが後側の第１リンク２２Ａに対して図示反時計回り方向（第１リンク２２Ａを格納操作する方向）に回転する時には、後側の第１リンク２２ＡのＵ字の各立壁部間を繋ぐ壁部に当たって後側の第１リンク２２Ａを同方向に押し回すようになっている。しかし、動力伝達片２３Ｃは、図９に示すように、連結軸２３Ａが上記のように回されるのではなく、後側の第１リンク２２Ａが何らかの外力作用を受けて直接、連結軸２３Ａに対して図示反時計回り方向（格納される方向）に回される時には、後側の第１リンク２２Ａの壁部が動力伝達片２３Ｃから離間する方向に回転することとなり、後側の第１リンク２２Ａが回転してもこの動力を連結軸２３Ａには伝達しない（後側の第１リンク２２Ａを空振りさせる）ようになっている。
【００２４】
図５に示すように、各第２リンク２２Ｂは、それらの一端部（図示上端部）が、それぞれ連結軸２２Ｃにより前述した各第１リンク２２Ａの他端部（図示下端部）に軸回転可能にピン連結されており、他端部（図示下端部）が、それぞれ連結軸２２Ｄにより前述したベース３０の各鋼板材の下部に軸回転可能にピン連結されている。上述した各連結軸２２Ｃ，２２Ｄは、それぞれ、前述した長尺状の連結軸２３Ａと同様に、それらの軸方向がシート前後方向に向けられた状態として設けられている。上記連結により、各第２リンク２２Ｂは、ベース３０に対して、連結軸２２Ｄを中心に回転することができるようになっていると共に、各第１リンク２２Ａに対しても、連結軸２２Ｃを中心に回転することができるようになっている。また、上記各連結軸２２Ｄによる各第２リンク２２Ｂとベース３０との連結部には、各第２リンク２２Ｂをベース３０に対して常時展開回転させる方向（図７における反時計回り方向）に付勢するトーションバネ２２Ｅが掛着されている。
【００２５】
上記のように構成された前後一対の各リンク機構部２２は、図７〜図８に示すように、上述した各第１リンク２２Ａと各第２リンク２２Ｂとをテーブル本体１０とベース３０との間で屈伸させる態様でリンク運動させて、テーブル本体１０を水平姿勢の状態に展開させたり（図７参照）、垂下姿勢の状態に格納したり（図８参照）するようになっている。具体的には、上記各リンク機構部２２は、図７に示すように、上述した各トーションバネ２２Ｅの付勢力によって、常時、各第２リンク２２Ｂがベース３０との連結軸２２Ｄを中心に図示反時計回り方向に押し回され、この動きを受けて各第１リンク２２Ａが各第２リンク２２Ｂとの連結軸２２Ｃからテーブル本体１０との連結軸２３Ａを中心に図示時計回り方向に押し回される力を受けた状態とされている。この付勢力を受けた展開回転により、各リンク機構部２２は、各第１リンク２２Ａと各第２リンク２２Ｂとの成す角を広げながらテーブル本体１０をベース３０との連結軸２１を中心に水平姿勢となる位置まで起こし上げていくようになっている。
【００２６】
上述した各リンク機構部２２の展開回転は、図７に示すように、各第１リンク２２Ａの各第２リンク２２Ｂと連結された側の端部に延設された各係止爪２２Ａ１が各第２リンク２２Ｂと当接することで止められるようになっている。具体的には、各係止爪２２Ａ１は、各第１リンク２２Ａと各第２リンク２２Ｂとが互いの成す角が１８０度より大きく開いた回転位置まで回転したところで各第２リンク２２Ｂと当接して回転を止めるようになっている。このような構成となっていることにより、各リンク機構部２２が、各第１リンク２２Ａと各第２リンク２２Ｂとを比較的真っ直ぐに伸張させた姿勢状態でテーブル本体１０とベース３０との間で突っ張らせてテーブル本体１０を水平姿勢の状態に保てるようになっている。また、各リンク機構部２２にテーブル本体１０からの荷重（重力方向にかかる荷重）が入力されても、この荷重が、各第１リンク２２Ａや各第２リンク２２Ｂを更に展開回転させる方向に及ぼされる力として作用するようになるため、各リンク機構部２２が展開状態に安定して保持されるようになっている。
【００２７】
また、上記各リンク機構部２２は、上述した各トーションバネ２２Ｅの付勢力に抗して連結軸２３Ａが後述するハンドル部２３Ｂの回転操作によって図示反時計回り方向に回されることにより、各第１リンク２２Ａと各第２リンク２２Ｂとが互いの成す角を狭めていく形に屈曲されながら、折り畳まれていくようになっている（図８参照）。具体的には、各リンク機構部２２は、上記連結軸２３Ａが回転操作されることにより、各第１リンク２２Ａが連結軸２３Ａと一体的となって同方向に押し回されると共に、各第２リンク２２Ｂも各連結軸２２Ｃを介してこの動きを受けてベース３０との連結軸２２Ｄを中心に図示時計回り方向に押し回される。この回転により、各リンク機構部２２は、図８に示すように、各第１リンク２２Ａと各第２リンク２２Ｂとの成す角を狭めながらテーブル本体１０をベース３０に引き寄せるように折り畳まれていくようになっている。そして、各リンク機構部２２は、上記格納回転によって、連結軸２３Ａがベース３０に固定された把持具３１に押し込まれて挟持された状態となり、各トーションバネ２２Ｅの付勢力によって展開回転することがないように格納状態に保持された状態となる。
【００２８】
図５に示すように、操作部２３は、前述した前後一対の第１リンク２２Ａの上端部に貫通して組み付けられた連結軸２３Ａと、連結軸２３Ａの先端部（前端部）に折り曲げられて形成されたハンドル部２３Ｂと、連結軸２３Ａの一部に結合された前述した動力伝達片２３Ｃと、によって構成されている。上記操作部２３は、図７に示すように、テーブル本体１０が展開された状態から、使用者が上記ハンドル部２３Ｂを把持して上方側に捻るように操作することにより、連結軸２３Ａを図示反時計回り方向に回転させて、各リンク機構部２２をテーブル本体１０を格納させる方向にリンク運動（格納回転）させるようになっている。各リンク機構部２２の格納回転は、ハンドル部２３Ｂの回転操作の進行に伴って行われ、ハンドル部２３Ｂにかける力によって前述した連結軸２３Ａをベース３０の把持具３１に押し込められるようになっている（図８参照）。
【００２９】
また、上記操作部２３は、図８に示すように、テーブル本体１０が格納された状態から、使用者が上記ハンドル部２３Ｂを把持して下方側に捻るように操作することにより、連結軸２３Ａを図示時計回り方向に回転させて、各リンク機構部２２をテーブル本体１０を展開させる方向にリンク運動（展開回転）させて、連結軸２３Ａをベース３０の把持具３１から外せるようになっている。上記連結軸２３Ａがベース３０の把持具３１から外されることにより、各リンク機構部２２は、各トーションバネ２２Ｅの付勢によるアシスト力を受けながらハンドル部２３Ｂの回転操作の進行に伴って展開方向に回転し、図７において前述した回転止めされる位置まで展開されるようになっている。このとき、後側のリンク機構部２２は、後側の第１リンク２２Ａと連結軸２３Ａとが展開方向には回転が追従しない構成となっているが、トーションバネ２２Ｅの付勢力により、前側のリンク機構部２２と同じ回転止めされる位置まで展開されるようになっている。
【００３０】
上記操作部２３は、図９に示すように、後側のリンク機構部２２が、例えば後席乗員の足と当たって格納回転方向に屈曲することがあっても、このような動きに対しては連結軸２３Ａが後側の第１リンク２２Ａの動きには追従しないことから、後側のリンク機構部２２の上記のような動きを逃がして、前側のリンク機構部２２にその影響を与えないようになっている。したがって、上記のような外力が後側のリンク機構部２２にかけられても、テーブル本体１０が格納されることなく、展開位置に安定して保持されるようになっている。なお、後側のリンク機構部２２は、上述した足と当たった外力が除荷されることにより、トーションバネ２２Ｅの付勢力によって再び元の展開位置に戻されるようになっている。このような構成により、各リンク機構部２２が操作部２３の操作によらずに格納操作されることを防止するキャンセル機構部２４が構成されている。
【００３１】
このように、本実施例のテーブルＴａは、物載せとなるテーブル本体１０と、テーブル本体１０をベース３０に対して展開格納可能に連結する展開格納機構２０と、を有する。展開格納機構２０は、リンク運動によりテーブル本体１０をベース３０に対して展開格納させる各リンク機構部２２と、各リンク機構部２２に連結されて各リンク機構部２２を操作する操作部２３と、各リンク機構部２２が操作部２３の操作によらずに操作されることを防止するキャンセル機構部２４と、を有する。各リンク機構部２２は、一対でテーブル本体１０をベース３０に対して展開格納させる構成となっている。キャンセル機構部２４は、操作部２３が前側のリンク機構部２２とは展開格納の双方向に動力伝達可能に連結されているが後側のリンク機構部２２とは一方向にのみ動力伝達可能で他方向の動力伝達を逃がす連結とされていることにより、後側のリンク機構部２２が操作部２３の操作によらずに他方向（格納方向）に操作されてもその操作力が操作部２３に伝達されない構成となっている。
【００３２】
このような構成となっていることにより、後側のリンク機構部２２が操作部２３の操作によらずに他方向（格納方向）に操作されても、その操作力は操作部２３には伝達されない。したがって、上記のような力が外部からかけられても、前側のリンク機構部２２の展開姿勢を保つことができるため、テーブル本体１０が外部からの力によって不用意に格納されないようにすることができる。
【００３３】
また、展開格納機構２０は、テーブル本体１０をベース３０に対して水平姿勢の展開状態と垂下姿勢の格納状態との間で回転により展開格納させる構成とされている。各リンク機構部２２は、テーブル本体１０とベース３０との間で屈伸運動によりテーブル本体１０を展開状態に保つように突っ張ったりテーブル本体１０を格納方向に導くように屈曲したりする構成とされている。キャンセル機構部２４は、後側のリンク機構部２２を突っ張った状態から屈曲させる方向には操作部２３からの動力を伝達し、その逆方向には動力伝達を逃がす構成となっている。
【００３４】
このような構成となっていることにより、テーブル本体１０を一対のリンク機構部２２の突っ張りによって展開状態に保つ構成において、後側のリンク機構部２２に乗員の足が当たるなどして屈曲方向に外力がかけられても、前側のリンク機構は突っ張った姿勢状態に保たれる。したがって、上記のような展開格納タイプのテーブルを、乗員の足が当たるような低い位置に設定しても、テーブル本体１０が不用意に格納操作されないようにすることができる。
【００３５】
また、キャンセル機構部２４は、操作部２３と後側のリンク機構部２２との間に設けられた、一方向の動きに対しては互いに当接して動力伝達が可能な状態となり、他方向の動きに対しては互いに離間して動力伝達をしない状態となる、当接構造（連結軸２３Ａに付設された動力伝達片２３Ｃが後側のリンク機構部２２に当たったり当たらなかったりする構造）によって構成されている。このような構成とすることで、キャンセル機構部２４を単純な当接構造によって簡素に形成することができる。
【００３６】
以上、本発明の実施形態を１つの実施例を用いて説明したが、本発明は上記実施例のほか各種の形態で実施することができるものである。例えば、本発明のテーブルは、自動車以外の乗物用に供されるテーブルであってもよい。また、テーブルは、乗物本体などのシート以外のものに付設されて設けられるものであってもよい。また、テーブルは、シートの側部に展開されるものに限らず、シートの後部に展開されて後席乗員に供されるものや、シートの前部に展開されるものであってもよい。
【００３７】
また、展開格納機構は、テーブル本体をスライドにより展開格納させる構成であってもよい。また、展開格納機構は、テーブル本体を水平姿勢から起こし上げたり旋回させたりして格納するものであってもよい。また、キャンセル機構部を構成するワンウェイの当接構造は、操作部と一対のリンク機構部のうちの他方とのどちらに設けられていてもよく、もちろん、両者に設けられていてもよい。また、キャンセル機構部は、各リンク機構部が操作部の操作によらずに展開操作されることを防止するものとして構成されたものであってもよい。
【符号の説明】
【００３８】
１      シート
２      シートバック
２Ａ    アームレスト
２Ｂ    連結軸
３      シートクッション
４      リクライナ
５Ａ    インナシールド
５Ｂ    アウタシールド
Ｔａ    テーブル
１０    テーブル本体
１１    カップホルダ
１１Ａ  丸孔
１１Ｂ  支え具
１２    小物入れ
１３    凹部
２０    展開格納機構
２１    連結軸
２１Ａ  ブラケット
２２    リンク機構部
２２Ａ  第１リンク
２２Ａ１  係止爪
２２Ｂ  第２リンク
２２Ｃ  連結軸（中間）
２２Ｄ  連結軸（下端）
２２Ｅ  トーションバネ
２２Ｆ  ブラケット
２３    操作部
２３Ａ  連結軸（上端）
２３Ｂ  ハンドル部
２３Ｃ  動力伝達片
２４    キャンセル機構部
３０    ベース
３１    把持具
【図１】
2015085772.tif 000003
【図２】
2015085772.tif 000004
【図３】
2015085772.tif 000005
【図４】
2015085772.tif 000006
【図５】
2015085772.tif 000007
【図６】
2015085772.tif 000008
【図７】
2015085772.tif 000009
【図８】
2015085772.tif 000010
【図９】
2015085772.tif 000011
【図１０】
2015085772.tif 000012
【図１１】
2015085772.tif 000013